(57)【要約】【課題】電線の引き寄せ作業を容易にし、且つ、作業時の電線からの取り外れを防ぐことを可能にする電線引き寄せ具及び電線引き寄せ方法を提供する。【解決手段】電線引き寄せ具１は、電線を把持する電線把持部５と所定のロープ１３が掛けられる滑車部６を備え、電線把持部５は、把線部７、取り付け部材８、作動部材９、連結部材１０及びガイド部１１を備える。把線部７は、回動軸１４により作動部材９に所定量回動自在に軸支された可動側把線部７ａと取り付け部材８と固定された固定側把線部７ｂとを備える。滑車１９の回転軸１８の内部には、所定の回転方向に設けられたブレーキギア１８ａを備え、ケースにゴム等の弾性部材により構成される止爪２０ｂを備える。このような構成を備えることにより、滑車部６を電線把持部５の逆方向へ移動させることで、可動側把線部７が固定側把線部７ｂ側へ移動して電線を把持する。【選択図】        図１
2007288837.tif 000002
【特許請求の範囲】
【請求項１】
電柱等の高所に配置された電線の、互いに接続される端部同士を引き寄せる電線引き寄せ具であって、
前記電線を把持して、前記電線に取り付けられる把持手段と、
所定のロープを案内する滑車を有する滑車部とを備え、
前記把持手段は、固定部と、前記滑車部と連結され、前記滑車部に所定方向の力が加わることにより前記固定部方向へ移動し、前記固定部との間に前記電線を把持する可動部とを備える
ことを特徴とする電線引き寄せ具。
【請求項２】
前記電線を把持した状態で、前記把持手段を固定する固定手段を備えた
ことを特徴とする請求項１記載の電線引き寄せ具。
【請求項３】
前記滑車部は、前記滑車の所定方向への回転を規制する規制手段を備えた
ことを特徴とする請求項１又は２記載の電線引き寄せ具。
【請求項４】
前記滑車部は、前記規制手段による前記滑車の回転の規制方向を変更可能に、前記把持手段に対して着脱自在である
ことを特徴とする１乃至３のいずれかに記載の電線引き寄せ具。
【請求項５】
電柱等の高所に配置された電線の、互いに接続される端部同士を引き寄せる電線引き寄せ方法であって、
前記電線を把持して、前記電線に取り付けられる把持手段と、所定のロープを案内する滑車を有する滑車部とを備え、前記把持手段は、固定部と、前記滑車部と連結され、前記滑車部に所定方向の力が加わることにより前記固定部方向へ移動し、前記固定部との間に前記電線を把持する可動部とを備える電線引き寄せ具を用い、
前記各電線の切断端部から所定の位置に、前記電線を前記把持手段により把持することにより、それぞれ前記電線引き寄せ具を取り付け、
所定の長さを有するロープの一端を、いずれか一方の前記電線引き寄せ具の滑車部に取り付け、且つ、前記各電線引き寄せ具の滑車のうち、少なくとも、前記ロープの一端が取り付けられていない前記電線引き寄せ具の滑車に前記ロープを掛け、
前記ロープの、前記電線引き寄せ具に取り付けられていない一端側より、前記ロープを引っ張り、前記各電線引き寄せ具が取り付けられた電線同士を引き寄せる
ことを特徴とする電線引き寄せ方法。
【発明の詳細な説明】
【技術分野】
【０００１】
本発明は、電柱等の高所に配置された電線の、互いに接続される端部同士を引き寄せる電線引き寄せ具及び電線引き寄せ方法に関する。詳しくは、所定のロープを案内する滑車部と、滑車部が所定方向に移動することにより電線を強く把持する把持手段を備えることにより、電線の引き寄せ作業を容易にし、且つ、作業時の電線からの取り外れを防ぐことを可能とするものである。
【背景技術】
【０００２】
電柱等により高所に配置された電線が切断し、切断端部が地面等に落下した場合、当該電線を修復するために次のような作業が必要になる。まず、それぞれの切断端部にロープを取り付け、高所作業車のバケット内の作業者が各ロープを引き上げることにより、各切断端部を地面等から持ち上げて互いに引き寄せる。その後、張線器を用いて各端部同士を引っ張り、当該電線を緊張状態とする。その後、端部同士を圧着スリーブにより接続する。
【０００３】
また、上記とは別に、それぞれの切断端部に滑車を有する金車を取り付け、各滑車に跨って掛けられたロープにより電線等を持ち上げ、互いに引き寄せる方法が開示されている（例えば特許文献１参照）。
【０００４】
特許文献１に記載される電線等の持ち上げ・引き寄せ方法は、次のように行われる。まず、電線等の切断端部に滑車を有する金車を取り付ける。その後、所定の長さを有する一本のロープを二つの滑車の間に跨って掛け、二つの滑車を互いに引き寄せるようにロープを引っ張る。これにより、電線等は持ち上げられ、互いに引き寄せられる。
【０００５】
【特許文献１】実開平５−８６６６８号公報
【発明の開示】
【発明が解決しようとする課題】
【０００６】
しかし、前述した従来の電線の持ち上げ・引き寄せ方法では、次のような問題がある。従来の電線の持ち上げ・引き寄せ方法では、高所作業車のバケット内の作業者が、ロープが取り付けられた電線を地面等から持ち上げる必要があり、作業が困難である問題がある。また、特許文献１に記載される電線等の持ち上げ・引き寄せ方法では、滑車を有する金車を電線に対して強固に固定できず、引き寄せ作業時に電線等から取り外れてしまう問題がある。
【０００７】
本発明はこのような問題を解決するためになされたもので、電線の引き寄せ作業を容易にし、且つ、作業時の電線からの取り外れを防ぐことを可能にする電線引き寄せ具、及びこの電線引き寄せ具を用いた電線引き寄せ方法を提供することを目的とする。
【課題を解決するための手段】
【０００８】
上述した問題を解決するため、本発明に係る電線引き寄せ具は、電柱等の高所に配置された電線の、互いに接続される端部同士を引き寄せる電線引き寄せ具であって、電線を把持して、電線に取り付けられる把持手段と、所定のロープを案内する滑車を有する滑車部とを備え、把持手段は、固定部と、滑車部と連結され、滑車部に所定方向の力が加わることにより固定部方向へ移動し、固定部との間に電線を把持する可動部とを備えることを特徴とするものである。
【０００９】
本発明の電線引き寄せ具を用いて、高所に配置され切断した電線を修復する際の電線引き寄せ作業が、例えば次のように行われる。まず、電線の各切断端部から所定の長さの位置に、それぞれ電線引き寄せ具を取り付ける。各電線引き寄せ具は、電線を把持手段により把持することにより、電線に取り付ける。その後、所定の長さを有するロープの一端を、いずれか一方の電線引き寄せ具の滑車部に取り付け、且つ、各電線引き寄せ具の滑車のうち、少なくとも、ロープの一端が取り付けられていない電線引き寄せ具の滑車に当該ロープを掛ける。
【００１０】
その後、電線引き寄せ具に取り付けられていない一端側よりロープを引っ張って、各滑車間のロープを縮めることにより、二つの電線引き寄せ具を互いに引き寄せる。これにより、高所に配置された電線の互いに接続される端部同士を互いに引き寄せる。
【００１１】
また、ロープを引っ張って二つの電線引き寄せ具を互いに引き寄せる際には、各電線引き寄せ具の滑車部に対して、互いに引き寄せられる方向にロープにより力が加えられる。これにより、各電線引き寄せ具の可動部に対して固定部方向に移動するように力が加えられ、可動部及び固定部により電線を把持する力が強まる。
【００１２】
上述した問題を解決するため、本発明に係る電線引き寄せ方法は、電柱等の高所に配置された電線の、互いに接続される端部同士を引き寄せる電線引き寄せ方法であって、電線を把持して、電線に取り付けられる把持手段と、所定のロープを案内する滑車を有する滑車部とを備え、把持手段は、固定部と、滑車部と連結され、滑車部に所定方向の力が加わることにより固定部方向へ移動し、固定部との間に電線を把持する可動部とを備える電線引き寄せ具を用い、各電線の切断端部から所定の位置に、電線を把持手段により把持することにより、それぞれ電線引き寄せ具を取り付け、所定の長さを有するロープの一端を、いずれか一方の電線引き寄せ具の滑車部に取り付け、且つ、各電線引き寄せ具の滑車のうち、少なくとも、ロープの一端が取り付けられていない電線引き寄せ具の滑車にロープを掛け、ロープの、電線引き寄せ具に取り付けられていない一端側より、ロープを引っ張り、各電線引き寄せ具が取り付けられた電線同士を引き寄せることを特徴とするものである。
【００１３】
本発明に係る電線引き寄せ方法では、まず、電線の各切断端部から所定の長さの位置に、それぞれ電線引き寄せ具が取り付けられる。各電線引き寄せ具は、電線を把持手段により把持することにより、電線に取り付けられる。その後、所定の長さを有するロープの一端が、いずれか一方の電線引き寄せ具の滑車部に取り付けられ、且つ、各電線引き寄せ具の滑車のうち、少なくとも、ロープの一端が取り付けられていない電線引き寄せ具の滑車に当該ロープが掛けられる。
【００１４】
その後、電線引き寄せ具に取り付けられていない一端側よりロープが引っ張られ、各滑車間のロープが縮められることにより、二つの電線引き寄せ具が互いに引き寄せられる。これにより、高所に配置された電線の互いに接続される端部同士が互いに引き寄せられる。
【００１５】
また、ロープが引っ張られて二つの電線引き寄せ具が互いに引き寄せられる際には、各電線引き寄せ具の滑車部に対して、互いに引き寄せられる方向にロープにより力が加えられる。これにより、各電線引き寄せ具の可動部に対して固定部方向に移動するように力が加えられ、可動部及び固定部により電線を把持する力が強まる。
【発明の効果】
【００１６】
本発明に係る電線引き寄せ具では、引き寄せ対象の電線に取り付けられた二つの電線引き寄せ具に跨ってロープを取り付け、このロープを引っ張ることにより電線を引き寄せる。これにより、電線の引き寄せ作業を容易に行うことが可能となる。
【００１７】
また、ロープを引っ張って電線を引き寄せる際には、各電線引き寄せ具の可動部に対して固定部方向に移動するように力が加えられ、可動部及び固定部により電線を把持する力が強まる。これにより、電線を引き寄せるに、電線引き寄せ具が電線から外れることを防ぐことが可能となる。
【００１８】
本発明に係る電線引き寄せ方法では、引き寄せ対象の電線に取り付けられた二つの電線引き寄せ具に跨ってロープを取り付け、このロープを引っ張ることにより電線を引き寄せる。これにより、電線の引き寄せ作業を容易に行うことが可能となる。
【発明を実施するための最良の形態】
【００１９】
以下図面を参照して、本発明の電線引き寄せ具及び電線引き寄せ方法について説明する。
【００２０】
＜本実施の形態の電線引き寄せ具の構成例＞
図１から図４は、第１の実施の形態の電線引き寄せ具１の構成を示す説明図である。図１は電線引き寄せ具１の側面図であり、図１（ａ）は後述する把線部７を開いた状態を示し、図１（ｂ）は把線部７を閉じた状態を示す。図２は、図１（ａ）のＡ−Ａ断面を示す断面図である。図３は後述する滑車１９の構成を示す説明図である。図４は後述する電線把持部５で電線１２を把持し、後述する滑車部６にロープ１３を掛けた状態を示す電線引き寄せ具１の側面図である。
【００２１】
図１から図４に示すように、電線引き寄せ具１は、電線１２を把持する電線把持部５と所定のロープ１３が掛けられる滑車部６を備えて構成される。電線把持部５は、把持手段の一例であり、把線部７、取り付け部材８、作動部材９、連結部材１０及びガイド部１１を備えて構成される。把線部７は、回動軸１４により作動部材９に所定量回動自在に軸支された可動側把線部７ａと取り付け部材８と固定された固定側把線部７ｂとを備える。可動側把線部７ａは可動部の一例であり、固定側把線部７ｂは固定部の一例である。図２に示すように、可動側把線部７ａ及び固定側把線部７ｂは、断面が電線１２の断面形状に応じた円弧状の把線溝７ｃ及び把線溝７ｄをそれぞれ備える。また、図１（ｂ）に示すように、可動側把線部７ａ及び固定側把線部７ｂには互いを接近させた状態で固定する把線部固定ネジ７ｄが取り付けられる。固定ネジ７ｄは固定手段の一例である。
【００２２】
また、作動部材９は所定の長さの棒状の形状を有し、前述したように、一方の端部の近傍に回動軸１４により可動側把線部７ａが取り付けられる。また、作動部材９は可動側把線部７ａが取り付けられる端部の近傍で、回動軸１５により取り付け部材８に回動自在に取り付けられる。また、作動部材９は他方の端部の近傍で回動軸１６により連結部材１０が回動自在に取り付けられる。
【００２３】
連結部材１０は所定の長さの棒状の形状を有し、取り付け部材８に固定されたガイド部のガイド穴（図示省略）に、移動自在に挿入された状態で、一方の端部の近傍で作動部材９に取り付けられる。連結部材１０の他方の端部には、滑車部６が取り付けピン１７により着脱自在に取り付けられる。また滑車部６は、例えば、電線把持部５の連結部材１０に対して、上下方向を逆に取り付けることが可能な構成となる。
【００２４】
滑車部６は、回転軸１８によりケース２０に回転自在に軸支された滑車１９と、開閉自在にケース２０に取り付けられたカバー２１を備える。カバー２１を開いた状態では、滑車１９に対してアクセスが可能になり、後述するようにロープ１３を取り付けることが可能となる。また、カバー２１は閉じた状態で固定ネジ２１ａにより固定される。更に、ケース２０は連結部材１０に取り付けられる端部の他方の端部に、後述する張線器２４及びロープ１３を固定するための固定穴２０ａを備える。
【００２５】
また、図３に示すように、滑車１９の回転軸１８の内部には、所定の回転方向に設けられたブレーキギア１８ａを備える。更に、ケース２０にゴム等の弾性部材により構成される止爪２０ｂを備える。これにより滑車１９は、図３の矢印に示す方向へは回転可能となるが、矢印の反対方向への回転は止爪２０ｂがブレーキギア１８ａに係合することにより規制される。ブレーキギア１８ａと止爪２０ｂは規制手段の一例である。前述したように、滑車部６は電線把持部５に対して上下方向に逆に取り付けることが可能である。このため、滑車部６を電線把持部５に取り付ける際の上下方向の向きを変更することにより、滑車１９が回転可能となる方向を所定の方向にすることが可能となる。
【００２６】
電線引き寄せ具１が上述した構成を備えることにより、図１の矢印Ｂに示すように滑車部６を移動させることにより、それぞれの回動軸により連結された連結部材１０、作動部材９及び可動側把線部７が、矢印Ｃ及び矢印Ｄに示すように回転して移動して、図１（ｂ）に示す状態となる。また、図１（ｂ）に示す状態から滑車部６を図１（ａ）の矢印Ｂと逆方向に移動させることにより、それぞれの回動軸により連結された連結部材１０、作動部材９及び可動側把線部７が、矢印Ｃ及び矢印Ｄに示す逆方向に回転して移動して、図１（ａ）に示す状態となる。
【００２７】
また電線引き寄せ具１は、上述した構成を備えることにより、図４に示すように把線部７により電線１２を把持することが可能となる。この時可動側把線部７及び固定側把線部７は把線部固定ネジ２１ａにより固定される。このため、電線引き寄せ具１は電線１２に固定された状態となる。更に滑車部６の滑車１９には所定の直径を有するロープ１３が取り付けられる。
【００２８】
図５は、第２の実施の形態の電線引き寄せ具２の構成を示す側面図である。電線引き寄せ具２は、電線引き寄せ具１と可動側把線部７と固定側把線部７の固定方法のみが異なる。電線引き寄せ具２は、図５に示すように、帯状の把線部固定バンド７ｆにより可動側把線部７及び固定側把線部７が固定される。電線引き寄せ具２は、把線部固定ネジ２１ａを使用する電線引き寄せ具１と比較して、把線部固定バンド７ｆを使用することにより、工具類を用いずに容易に把線部７の固定を行うことが可能となる。
【００２９】
図６は、第３の実施の形態の電線引き寄せ具３の構成を示す説明図である。図６（ａ）は、電線引き寄せ具３の構成を示す平面図であり、滑車部６と電線把持部５を分離した状態を示している。図６（ｂ）は図６（ａ）のＥで示す連結部材１０の先端部を示す平面図である。電線引き寄せ具３は、電線引き寄せ具１と滑車部６と電線把持部５の連結方法のみが異なるものである。図６（ａ）に示すように、電線引き寄せ具３の滑車部６は、電線把持部５の連結部材１０に連結するための連結リング２２を備える。連結リング２２は、リングの一部が回動することで開閉される開閉部２２ａを備える。連結リング２２の開閉部２２ａは、外部より力が印加されない状態では、図６（ａ）の破線で示すように閉じた状態となる。
【００３０】
また、電線引き寄せ具３の連結部材１０の滑車部６取り付け側の端部は、図６（ｂ）に示すようにコ字状に形成され、コ字状部の内部には棒状の取り付け部２３が形成される。このコ字状内部の取り付け部２３に連結リング２２が係合することにより、滑車部６と電線把持部５は連結された状態となる。このように、連結リング２２により滑車部６と電線把持部５が連結することにより、取り付けピン１７により滑車部６と電線把持部５が連結する構成と比較して、滑車部６と電線把持部５の着脱を容易に行うことが可能となる。電線引き寄せ具３においても、電線引き寄せ具１と同様に、滑車部６は電線把持部５の連結部材１０に対して、上下方向を逆に取り付けることが可能な構成となる。
【００３１】
図７は、第４の実施の形態の電線引き寄せ具４の構成を示す側面図である。電線引き寄せ具４は、電線引き寄せ具１の滑車部６に張線器部２５が取り付けられたものである。張線器部２５は、電線の切断端部同士を互いに引き寄せるように引っ張ることで、電線を緊張状態にするものである。ここで、張線器部２５の構成について説明する。図８は張線器２４の構成を示す説明図である。図８に示すように張線器２４は本体部２７、第１取り付け部２８及び第２取り付け部２９を備えて構成される。本体部２７は軸ボルト３０により回動自在に軸支されたラチェットハンドル３１を備える。また、本体部２７は、内部に、ワイヤ３２を巻き取る図示しないドラムを備える。ドラムは軸ボルト３０に取り付けられており、図示しない切り換えレバーによりラチェットハンドル３１による回転駆動方向の切り替えが可能な構成となっている。また、ワイヤ３２はドラムと第１取り付け部２８に備えられる滑車２８ｃとに跨って取り付けられており、ラチェットハンドル３１を往復回動させることにより、ワイヤ３２を矢印方向にドラムで巻き取ることが可能となる。
【００３２】
更に本体部２７は止爪３３及び、ラチェットハンドル３１の回動軸の周囲に備えられたブレーキギア３４を備え、止爪３３を操作することによりラチェットハンドル３１の所定方向への回転を規制することが可能となる。第１取り付け部２８及び第２取り付け部２９は、それぞれＵ字部材２８ａ・２９ａとこのＵ字部材２８ａ・２９ａに間口開閉可能に支持されたボルト２８ｂ・２９ｂとを備え、ボルト２８ｂ・２９ｂにより他の部材への取り付けが可能となる。また、第２取り付け部２９は所定の長さを有するワイヤ３５により本体部２７に取り付けられる。
【００３３】
以上のような構成を備えることにより、引き寄せ対象の部材に第１取り付け部２８及び第２取り付け部２９をそれぞれ取り付け、ラチェットハンドル３１を往復回動させてドラムにワイヤ３２を巻き取ることにより、引き寄せ対象の部材を互いに引き寄せることが可能となる。
【００３４】
電線引き寄せ具４は、張線器部２５と一体に固定されていることにより、電線引き寄せ具に対して張線器を取り付ける必要がなくなり、後述する電線引き寄せ作業を能率よく行うことが可能となる。
【００３５】
また、上述した電線引き寄せ具１から４の例においては、電線１２を把持した把線部７を固定する固定手段として把線部固定ネジ７ｄ又は把線部固定バンド７ｆを備えるとした。しかし、電線把持部５の把線部７に把線部固定ネジ７ｄ又は把線部固定バンド７ｆ等を備えない構成としてもよい。この場合、図１の矢印Ｂ方向に滑車部６に力を加えることにより可動側把線部７ａの矢印Ｄ方向に生じる力による把線溝７ｃ及び把線溝７ｄと電線１２との間の摩擦力により、電線把持部５と電線１２とを固定する。この時、把線溝７ｃ及び把線溝７ｄの表面に突起状の小片を備えることにより、把線溝７ｃ及び把線溝７ｄと電線１２との間の摩擦力を高めることが可能となる。
【００３６】
＜本実施の形態の電線引き寄せ具による作業例＞
次に、本発明の電線引き寄せ具による作業例を、本発明の電線引き寄せ方法として図面を参照して説明する。図９から図１４は本発明の電線引き寄せ方法を用いた電線修復作業の説明図である。図９は電線１２ａ・１２ｂに電線引き寄せ具１ａ・１ｂを取り付けた状態を示す。図１０は滑車部６にロープ１３を掛け引っ張った状態を示す。図１１は滑車部６に張線器２４を取り付けて、電線１２を緊張させた状態を示す。図１２は一方の電線１２ａをスリーブ２６に取り付けた状態を示す。図１３は他方の電線１２ｂをスリーブ２６に取り付けた状態を示す。図１４は電線引き寄せ具１及び張線器２４を取り外した状態を示す。
【００３７】
本発明の電線引き寄せ方法は、電柱等により高所に配置された電線１２が切断し、切断された電線１２ａ・１２ｂの切断端部が地面等に落下した場合に、電線１２を修復する際に使用される。本発明の電線引き寄せ方法を用いた電線修復作業は、次のように行われる。まず、図９に示すように切断した電線１２ａ・１２ｂの切断端部から所定の位置に電線引き寄せ具１ａ・１ｂをそれぞれ取り付ける。電線引き寄せ具１ａ・１ｂを電線１２ａ・１２ｂに取り付ける際には、図１及び図４を用いて説明したように、把線部７で電線１２を把持し把線部固定ネジ２１ａで固定する。電線引き寄せ具１ａ及び１ｂは、電線１２に取り付けた際に、図１０の矢印Ｇ方向に示すようにそれぞれ同一方向へ滑車１９が回転自在となり、矢印Ｇと反対方向への回転が規制されるように、滑車部６が取り付けられている。
【００３８】
電線引き寄せ具１ａ・１ｂをそれぞれ電線１２ａ・１２ｂに取り付けた後、図１０のＦに示すように、ロープ１３の一端を一方の電線引き寄せ具１の固定穴２０ａに固定し、電線引き寄せ具１ａ・１ｂのそれぞれの滑車部６ａ・６ｂに跨って所定のロープ１３を掛ける。その後、矢印Ｈに示すようにロープ１３の一端を作業者又はウインチ等により引っ張る。これにより、図１０の矢印に示すように、滑車部６ａ・６ｂの滑車１９が回転し、滑車部６ａ及び滑車部６ｂの間に位置するロープ１３を短くなり、電線引き寄せ具１ａ・１ｂ同士が互いに引き寄せられる。ここで、滑車部６ａ・６ｂの滑車１９の、図１０の矢印Ｇと反対方向への回転が規制されている場合、ロープ１３を引っ張ることを中止した際に各滑車１９が矢印Ｇと反対方向へ回転して電線引き寄せ具１ａ及び１ｂの間隔が再び広がることを防ぐことが可能となる。
【００３９】
図１０においては、滑車部６ａにロープ１３の一端を取り付け、滑車部６ａ及び滑車部６ｂの両方の滑車１９にロープ１３を掛けるとした。しかし、滑車部６ａ又は滑車部６ｂのいずれかにロープ１３の一端を取り付け、且つ、少なくとも、ロープ１３の一端を取り付けない滑車部６の滑車１９にロープ１３を掛けるとしてもよい。これにより、図１０と同様に、ロープ１３の一端を作業者又はウインチ等により引っ張ることにより、ロープ１３が掛けられた滑車部６の滑車１９が回転し、滑車部６ａ及び滑車部６ｂの間に位置するロープ１３を短くなり、電線引き寄せ具１ａ・１ｂ同士が互いに引き寄せられる。
【００４０】
電線引き寄せ具１ａ・１ｂ同士を互いに引き寄せた後、図１１に示すように、張線器２４を電線引き寄せ具１ａ・１ｂの滑車部６ａ・６ｂに取り付ける。この時、第１取り付け部２８のボルト２８ｂを滑車部６ａの固定穴２０ａの取り付け、第２取り付け部２９のボルト２９ｂを滑車部６ｂの固定穴２０ａに取り付ける。その後、矢印に示すようにラチェットハンドル３１を往復回動させてワイヤ３２を巻き取り、電線引き寄せ具１ａ及び電線引き寄せ具１ｂを互いに引き寄せて、電線１２ａ及び電線１２ｂを緊張状態とする。なお、図１１から図１３に示す各作業は、高所作業車により高所に移動した作業者により行われる。
【００４１】
張線器２４を用いて電線１２ａ及び電線１２ｂを緊張状態にした後、図１２に示すように、一方の電線１２ａの端部にスリーブ２６を圧着により取り付ける。その後、図１３に示すように他方の電線１２ｂの端部をスリーブ２６に圧着により取り付けた後、電線引き寄せ具１ａ・１ｂ及び張線器２４を電線１２ａ・１２ｂから取り外す。これにより図１４に示すように、電線１２ａ及び電線１２ｂの切断端部が修復された状態となる。
【００４２】
以上、電線引き寄せ具１を用いた電線引き寄せ方法による電線修復作業について説明したが、電線引き寄せ具２・３・４を用いて同様の電線引き寄せ方法により電線修復作業を行うことが可能である。ここで、電線引き寄せ具４は、張線器部２５と一体に固定されていることにより、電線引き寄せ具に対して張線器を取り付ける必要がなくなり、電線引き寄せ作業を能率よく行うことが可能となる。
【００４３】
また、電線把持部５の把線部７に把線部固定ネジ７ｄ又は把線部固定バンド７ｆ等の固定手段を備えない構成とした場合は、図１０の矢印Ｈに示すようにロープ１３を引っ張ることにより、図１の矢印Ｂに示すように滑車部６に力が加えられるため、把線溝７ｃ及び把線溝７ｄと電線１２との間の摩擦力により、各電線引き寄せ具と各電線１２とが固定される。
【００４４】
また、上述した電線引き寄せ具１から４を用いた電線引き寄せ方法による電線修復作業においては、作業者又はウインチにより図１０の矢印Ｈに示すようにロープ１３を引っ張るとした。しかし電線引き寄せ具にロープ１３を引っ張るウインチを備える構成としてもよい。これにより、ウインチを別途用意することなく、ロープ１３の引っ張り作業を効率よく行うことが可能となる。
【００４５】
更に、電動ドリル等の動力によりロープ１３を巻き取り、各電線１２に取り付けられた電線引き寄せ具を引き寄せることが可能な構成としてもよい。これにより、ウインチ等を別途用いることなく、ロープ１３の引っ張り作業を効率よく行うことが可能となる。
【００４６】
本発明に係る電線引き寄せ具１〜４は、電線把持部５により電線１２を把持することにより、電線１２に対する取り付けを行う構成である。これにより、電線引き寄せ作業時の、電線１２に対する取り付けを容易に行うことが可能となる。また、本発明に係る電線引き寄せ具１〜４では、二つの滑車１９に跨って掛けられたロープ１３を引っ張ることにより、電線１２の引き寄せ作業が行われる。これにより、電線１２の引き寄せ作業を容易に行うことが可能となる。また、ロープ１３を引っ張って電線１２を引き寄せる際には、各電線引き寄せ具１〜４の可動側把線部７ａに対して固定側把線部７ｂ方向に移動するように力が加えられ、可動側把線部７ａ及び固定側把線部７ｂにより電線１２を把持する力が強まる。これにより、電線１２を引き寄せるに、電線引き寄せ具１〜４が電線から外れることを防ぐことが可能となる。
【００４７】
本発明に係る電線引き寄せ方法は、引き寄せ対象の電線の端部に取り付けられた各電線引き寄せ具１〜４の滑車１９に跨って掛けられたロープ１３を引っ張ることにより、電線１２の引き寄せ作業が行われる。これにより、電線１２の引き寄せ作業を容易に行うことが可能となる。
【産業上の利用可能性】
【００４８】
本発明は、電柱等の高所に配置された電線の、互いに接続される端部同士を引き寄せる電線引き寄せ具及び電線引き寄せ作業に適用される。
【図面の簡単な説明】
【００４９】
【図１】第１の実施の形態の電線引き寄せ具を示す説明図である。
【図２】第１の実施の形態の電線引き寄せ具の断面図である。
【図３】滑車の説明図である。
【図４】第１の実施の形態の電線引き寄せ具を示す説明図である。
【図５】第２の実施の形態の電線引き寄せ具を示す説明図である。
【図６】第３の実施の形態の電線引き寄せ具を示す説明図である。
【図７】第４の実施の形態の電線引き寄せ具を示す説明図である。
【図８】張線器の説明図である。
【図９】本実施の形態の電線引き寄せ方法を用いた電線修復作業の説明図である。
【図１０】本実施の形態の電線引き寄せ方法を用いた電線修復作業の説明図である。
【図１１】本実施の形態の電線引き寄せ方法を用いた電線修復作業の説明図である。
【図１２】本実施の形態の電線引き寄せ方法を用いた電線修復作業の説明図である。
【図１３】本実施の形態の電線引き寄せ方法を用いた電線修復作業の説明図である。
【図１４】本実施の形態の電線引き寄せ方法を用いた電線修復作業の説明図である。
【符号の説明】
【００５０】
１〜４  電線引き寄せ具
５、５ａ、５ｂ  電線把持部
６、６ａ、６ｂ  滑車部
７  把線部
７ａ  可動側把線部
７ｂ  固定側把線部
７ｄ  把線部固定ネジ
７ｆ  把線部固定バンド
１２  電線
１３  ロープ
１８ａ  ブレーキギア
１９  滑車
２０ｂ  止爪
【図１】
2007288837.tif 000003
【図２】
2007288837.tif 000004
【図３】
2007288837.tif 000005
【図４】
2007288837.tif 000006
【図５】
2007288837.tif 000007
【図６】
2007288837.tif 000008
【図７】
2007288837.tif 000009
【図８】
2007288837.tif 000010
【図９】
2007288837.tif 000011
【図１０】
2007288837.tif 000012
【図１１】
2007288837.tif 000013
【図１２】
2007288837.tif 000014
【図１３】
2007288837.tif 000015
【図１４】
2007288837.tif 000016